(57)【特許請求の範囲】
【請求項１】
第１カードを装着可能な第１装着部、第２カードを装着可能な第２装着部及び前記第１装着部と前記第２装着部とを仕切る仕切り壁を有するハウジングと、前記第１カードの接触部と接触可能な第１コンタクト端子と、前記第２カードの接触部と接触可能な第２コンタクト端子とを備え、前記第１コンタクト端子及び前記第２コンタクト端子を前記仕切り壁に対向して配置すると共に、前記第１コンタクト端子及び前記第２コンタクト端子は、前記仕切り壁に設けられた開口部において、直接的に対向しているカード用コネクタであって、
前記第１カード及び第２カードが同時に装着される場合に前記第１コンタクト端子の接点部に設けられた凹部の範囲内で前記第２コンタクト端子を前記第１コンタクト端子と接触しない位置に配置したことを特徴とするカード用コネクタ。
【請求項２】
前記第２装着部に装着された前記第２カードの接触部の設置範囲内で前記第２コンタクト端子を前記第１コンタクト端子と接触しない位置に配置したことを特徴とする請求項１記載のカード用コネクタ。
【請求項３】
前記第１装着部を覆う第１カバー部材と、前記第２装着部を覆う第２カバー部材とを備え、前記ハウジングは、前記第１カードを挿入する第１カード挿入口と、前記第２カードを挿入する第２カード挿入口とを有し、
前記ハウジングの第１側面には前記第１カード挿入口が設けられ、前記ハウジングの第２側面には前記第２カード挿入口及び前記第２コンタクト端子の外部接続部が設けられ、前記ハウジングの第３側面には前記第１コンタクト端子の外部接続部が設けられ、前記ハウジングの第４側面には前記第１カバー部材と前記第２カバー部材とを電気的に接続する接続部材が設けられていることを特徴とする請求項１又は請求項２記載のカード用コネクタ。
【請求項４】
前記第１コンタクト端子は、前記第１コンタクト端子と当接して前記第１カードの挿入経路上への一定位置以上の突出を規制する第１規制部と、前記第１コンタクト端子と当接して前記第２装着部側への突出を規制する第２規制部とに挟まれて配置されていることを特徴とする請求項１から請求項３のいずれかに記載のカード用コネクタ。
【請求項５】
前記仕切り壁には、前記第１規制部に対向する位置に開口部が設けられて前記第１装着部と前記第２装着部とが連通され、前記第２規制部は前記開口部の両側の前記仕切り壁であり、前記第１規制部は前記仕切り壁と一体的に設けられていることを特徴とする請求項４記載のカード用コネクタ。
【請求項６】
前記第１コンタクト端子は、前記開口部の幅よりも広い幅を有することを特徴とする請求項５記載のカード用コネクタ。
【発明の詳細な説明】
【技術分野】
【０００１】
本発明は、カード用コネクタに関し、特に、２種類のカードを交差する方向で同時に装着するカード用コネクタに関する。
【背景技術】
【０００２】
従来、２種類のカードを交差する方向で同時に装着するカード用コネクタが知られている（例えば、特許文献１参照）。このようなカード用コネクタにおいては、ＳＤカードが着脱されるＳＤカード用コネクタ部と、ＳＩＭカードが着脱されるＳＩＭカードコネクタ部とを上下一体に樹脂で成型し、ＳＤカード用コンタクト端子及びＳＩＭカード用コンタクト端子の引出し方向を互いに直交する方向に配置している。
【０００３】
ところで、近年、このようなカード用コネクタに装着されるＳＤカード等のメモリカードは小型化されている。一方、このようなメモリカードに対して各種データの記録等を行う電子機器も小型化及び薄型化されている。このため、このような電子機器に搭載され、メモリカードを装着するカード用コネクタにおいても、更なる小型化及び薄型化が要請されている。
【特許文献１】特開２００１−３０７８０１号公報
【発明の開示】
【発明が解決しようとする課題】
【０００４】
しかしながら、上述したような２種類のカードを交差する方向で同時に装着するカード用コネクタにおいては、その小型化を進めていくと、それぞれのカード用のコンタクト端子が上下に重なる部分が発生し、当該部分においてコンタクト端子同士が接触する恐れがあり、その薄型化には限界があった。
【０００５】
本発明はこのような実情に鑑みてなされたものであり、小型化した場合においても、コンタクト端子同士の接触を防止して薄型化を図ることができるカード用コネクタを提供することを目的とする。
【課題を解決するための手段】
【０００６】
本発明のカード用コネクタは、第１カードを装着可能な第１装着部、第２カードを装着可能な第２装着部及び前記第１装着部と前記第２装着部とを仕切る仕切り壁を有するハウジングと、前記第１カードの接触部と接触可能な第１コンタクト端子と、前記第２カードの接触部と接触可能な第２コンタクト端子とを備え、前記第１コンタクト端子及び前記第２コンタクト端子を前記仕切り壁に対向して配置すると共に、前記第１コンタクト端子及び前記第２コンタクト端子は、前記仕切り壁に設けられた開口部において、直接的に対向しているカード用コネクタであって、前記第１カード及び第２カードが同時に装着される場合に前記第１コンタクト端子の接点部に設けられた凹部の範囲内で前記第２コンタクト端子を前記第１コンタクト端子と接触しない位置に配置したことを特徴とする。
【０００７】
上記カード用コネクタによれば、第２コンタクト端子は、第１コンタクト端子の接点部に設けられた凹部の範囲内に配置されていることから、第１コンタクト端子と第２コンタクト端子とが互いに接近した場合においても、凹部を挟んでこれらを対峙させることができるので、第１コンタクト端子と第２コンタクト端子との接触を防止することができる。この結果、本カード用コネクタを小型化して第１コンタクト端子と第２コンタクト端子とが重なる位置に配置される場合においても、コンタクト端子同士の接触を防止して薄型化を図ることが可能となる。
また、第１コンタクト端子及び第２コンタクト端子は、仕切り壁に設けられた開口部において、直接的に対向していることから、仕切り壁を挟んで対向させる場合よりも第１コンタクト端子と第２コンタクト端子とを接近して配置することができるので、より本カード用コネクタを薄型化することが可能となる。
【０００８】
上記カード用コネクタにおいては、前記第２装着部に装着された前記第２カードの接触部の設置範囲内で前記第２コンタクト端子を前記第１コンタクト端子と接触しない位置に配置することが好ましい。この場合には、第２カードの接触部の設置範囲内で第２コンタクト端子の位置が調整されることから、第２コンタクト端子における第２カードの接触部との接触を確保しつつ、第１コンタクト端子との接触を防止することが可能となる。
【００１０】
さらに、上記カード用コネクタにおいては、前記第１装着部を覆う第１カバー部材と、前記第２装着部を覆う第２カバー部材とを備え、前記ハウジングは、前記第１カードを挿入する第１カード挿入口と、前記第２カードを挿入する第２カード挿入口とを有し、前記ハウジングの第１側面には前記第１カード挿入口が設けられ、前記ハウジングの第２側面には前記第２カード挿入口及び前記第２コンタクト端子の外部接続部が設けられ、前記ハウジングの第３側面には前記第１コンタクト端子の外部接続部が設けられ、前記ハウジングの第４側面には前記第１カバー部材と前記第２カバー部材とを電気的に接続する接続部材が設けられていることが好ましい。この場合には、第１カード挿入口及び第２カード挿入口、並びに、第１コンタクト端子及び第２コンタクト端子の外部接続部が設けられていないハウジングの第４側面に接続部材を設けて第１カバー部材と第２カバー部材とを電気的に接続したことから、本カード用コネクタの薄型化を阻害することなく、外来ノイズに対する耐性を確保することが可能となる。
【００１１】
なお、上記カード用コネクタにおいて、前記第１コンタクト端子は、前記第１コンタクト端子と当接して前記第１カードの挿入経路上への一定位置以上の突出を規制する第１規制部と、前記第１コンタクト端子と当接して前記第２装着部側への突出を規制する第２規制部とに挟まれて配置されていることが好ましい。この場合には、予め定められた第１カードと異なるカードが第１装着部に挿入され、第１コンタクト端子が、第１カードが挿入される場合よりも大きく移動する場合においても、第２装着部に突出するのを規制することができるので、第１コンタクト端子と第２コンタクト端子との接触を防止することが可能となる。
【００１２】
特に、上記カード用コネクタにおいて、前記仕切り壁には、前記第１規制部に対向する位置に開口部が設けられて前記第１装着部と前記第２装着部とが連通され、前記第２規制部は前記開口部の両側の前記仕切り壁であり、前記第１規制部は前記仕切り壁と一体的に設けられていることが好ましい。この場合には、第１規制部に対向する位置に開口部を設けていることから、仕切り壁の製造時に第１規制部を容易に形成することが可能となる。
【００１３】
また、上記カード用コネクタにおいて、前記第１コンタクト端子は、前記開口部の幅よりも広い幅を有することが好ましい。この場合には、開口部の両側に配置される仕切り壁から成る第２規制部により確実に第１コンタクト端子の第２装着部側への突出を確実に防止することが可能となる。
【発明の効果】
【００１４】
本発明によれば、第２コンタクト端子は、第１コンタクト端子の接点部に設けられた凹部の範囲内に配置されていることから、第１コンタクト端子と第２コンタクト端子とが互いに接近した場合においても、凹部を挟んでこれらを対峙させることができるので、第１コンタクト端子と第２コンタクト端子との接触を防止することができる。この結果、本カード用コネクタを小型化して第１コンタクト端子と第２コンタクト端子とが重なる位置に配置される場合においても、コンタクト端子同士の接触を防止して薄型化を図ることが可能となる。
【発明を実施するための最良の形態】
【００１５】
以下、本発明の一実施の形態について添付図面を参照して詳細に説明する。本実施の形態に係るカード用コネクタ（以下、「コネクタ」という）は、２種類のカードを交差する方向で同時に装着するものである。例えば、本実施の形態に係るコネクタは、携帯電話機等に搭載され、マイクロＳＤカードなどのメモリカード、並びに、ＳＩＭカードなどの契約者情報を記録したＩＣカードを装着するものである。なお、本実施の形態に係るコネクタに装着されるカードの種類についてはこれに限定されるものではなく適宜変更が可能である。
【００１６】
図１及び図２は、本実施の形態に係るコネクタ１と、コネクタ１に装着される第１及び第２カードとを示す斜視図である。図１においては、第１及び第２カードが装着される前の状態を示し、図２においては、第１及び第２カードが装着された後の状態を示している。なお、以下においては、適宜、図１に示す紙面上方側を「コネクタ１の前方側」又は単に「前方側」と呼び、同図に示す紙面下方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１７】
図１に示すように、本実施の形態に係るコネクタ１は、第１カードＡ及び第２カードＢが装着されるハウジング２と、ハウジング２の上面に取り付けられる第１カバー部材３と、ハウジング２の下面に取り付けられる第２カバー部材４とを備えて構成される。これらの第１カバー部材３及び第２カバー部材４が取り付けられた状態において、コネクタ１には、後方側に開口した第１カード挿入口５が形成される一方、左方側に開口した第２カード挿入口６が形成されている。なお、第１カード挿入口５は、コネクタ１の後面における上方側部分に形成される一方、第２カード挿入口６は、コネクタ１の左方側側面における下方側部分に形成されている。
【００１８】
後述するように、ハウジング２における第１カード挿入口５の前方側内部には、第１カードＡが装着される第１装着部７が形成され、第２カード挿入口６の右方側内部には、第２カードＢが装着される第２装着部８が形成される。第１カードＡは、図２に示すように、第１カード挿入口５から第１装着部７に対してコネクタ１の前方側に向けて装着される。一方、第２カードＢは、図２に示すように、第２カード挿入口６から第２装着部８に対してコネクタ１の右方側に向けて装着される。このように装着された状態において、コネクタ１の内部では第１カードＡと第２カードＢとが上下に重なって配置されている。
【００１９】
この場合において、第１カードＡは、図１に示すように、接触部としての接触パッドＡ１を下面に配置した状態でコネクタ１に装着され、後述する第１装着部７の下方領域に設けられた第１コンタクト端子１４が接触パッドＡ１に接触するものとなっている。一方、第２カードＢは、図１に示すように、接触部としての接触パッドＢ１を上面に配置した状態でコネクタ１に装着され、後述する第２装着部８の上方領域に設けられた第２コンタクト端子１５が接触パッドＢ１に接触するものとなっている。
【００２０】
図３は、本実施の形態に係るコネクタ１の分解斜視図である。図４及び図５は、本実施の形態に係るコネクタ１のハウジング２の斜視図及び上面図である。なお、図３〜図５においては、いずれも第１カードＡ及び第２カードＢが装着されていない状態（初期状態）について示している。
【００２１】
第１カバー部材３及び第２カバー部材４は、例えば、金属製の板材料に打ち抜き加工を施すと共に、曲げ加工を施すことにより形成される。図３に示すように、第１カバー部材３は、それぞれ前方側及び後方側の端面から下方側に延出する一対の係合部３１、並びに、側方側の端面から下方側に延出する一対の係合部３２を備え、これらの係合部３１、係合部３２で後述するハウジング２の係合片１０１、１１１、１２１及び１３１を収容することでハウジング２に固定される。一方、第２カバー部材４は、それぞれ前方側及び後方側の端面から上方側に延出する一対の係合部４１、並びに、右方側の端面から上方側に延出する一対の係合部４２を備え、これらの係合部４１、係合部４２で後述するハウジング２の係合片１０２、１１２及び１２２を収容することでハウジング２に固定される。これらの第１カバー部材３及び第２カバー部材４は、それぞれ後述する第１装着部７及び第２装着部８を覆うようにハウジング２に固定される。
【００２２】
第１カバー部材３の上面における右方側の所定位置には、後述する係合ピン１８を下方側に付勢する付勢片３３と、後述するスライダ１６が所定位置まで移動した場合にその上面に接触して荷重を与える付勢片３４とが形成されている。また、第１カバー部材３の上面における左方側の所定位置には、ハウジング２の所定箇所に接触して第１カバー部材３の位置決めを行う位置決め部３５が形成されている。なお、これらの付勢片３３及び付勢片３４、並びに、位置決め部３５は、第１カバー部材３の一部を切り起こして形成されている。
【００２３】
第１カバー部材３の右方側の端面の所定位置には、下方側に延出する一対の接続部材３６が設けられている。これらの接続部材３６は、第２カバー部材４の右方側の側面の所定位置に上方側に延出して設けられた接続部材４３に対応する位置に配置され、第１カバー部材３と第２カバー部材４とを電気的に接続するものである。第２カバー部材４は、グランド接続されており、この第２カバー部材４に対して第１カバー部材３を電気的に接続することにより、外来ノイズに対する耐性を確保するものとなっている。
【００２４】
ハウジング２は、合成樹脂材料などの絶縁材料を成型して形成され、図３に示すように、概して偏平な形状を有している。ハウジング２には、その上面に第１カードＡが装着される第１装着部７が形成される一方、その下面に第２カードＢが装着される第２装着部８が形成されている（第２装着部８については図３に不図示）。第１装着部７と第２装着部８との間には、これらを仕切る仕切り壁９が配設されている。また、ハウジング２には、その前面を構成する前壁部１０と、その後面を構成する後壁部１１と、その右方側の側面を構成する側壁部１２と、その左方側の側面を構成する側壁部１３とが設けられている。なお、後壁部１１は第１側面を構成し、左方側の側壁部１３は第２側面を構成し、前壁部１０は第３側面を構成し、右方側の側壁部１２は第４側面を構成する。
【００２５】
これらの前壁部１０の所定位置には、上述した第１カバー部材３に設けられた係合部３１と係合する係合片１０１と、第２カバー部材４に設けられた係合部４１と係合する係合片１０２とが設けられている（図３に不図示、図５参照）。同様に、後壁部１１の所定位置には、第１カバー部材３の係合部３１と係合する係合片１１１と、第２カバー部材４の係合部４１と係合する係合片１１２とが設けられている。また、側壁部１２の所定位置には、第１カバー部材３の係合部３２と係合する係合片１２１と、第２カバー部材４の係合部４２と係合する係合片１２２とが設けられている。同様に、側壁部１３の所定位置には、第１カバー部材３の係合部３２と係合する係合片１３１が設けられている（図３に不図示、図５参照）。
【００２６】
図４及び図５に示すように、仕切り壁９の前方側端部近傍には、第１カードＡ用の複数の第１コンタクト端子１４がコネクタ１の左右方向に並べて設けられている。これらの第１コンタクト端子１４は、仕切り壁９に対向して配置されている。また、これらの第１コンタクト端子１４の外部接続部１４１は、コネクタ１の前壁部１０から前方に導出されている。例えば、これらの第１コンタクト端子１４は、成型されたハウジング２に対して上方側から取り付けられる。
【００２７】
仕切り壁９の所定位置には、コネクタ１の前後方向に並べて複数の開口部９１、９２が形成されている。これらの開口部９１、９２に対応する位置に第２カードＢ用の複数の第２コンタクト端子１５が設けられている。これらの第２コンタクト端子１５は、仕切り壁９に対向して配置されている。また、これらの第２コンタクト端子１５の外部接続部１５１は、コネクタ１の左方側の側壁部１３から左方側に導出されている。例えば、これらの第２コンタクト端子１５は、ハウジング２に対してインサート成形される。
【００２８】
これらの第２コンタクト端子１５のうち、最も前方側に配置される第２コンタクト端子１５は、図５に示すように、開口部９１、９２において、第１コンタクト端子１４と直接的に対向するものとなっている。なお、これらの第１コンタクト端子１４及び第２コンタクト端子１５の構成、並びに、第１コンタクト端子１４と第２コンタクト端子１５との位置関係については後述する。
【００２９】
ハウジング２の内部における右方側の側壁部１２の近傍には、第１カードＡの挿入及び排出動作に伴ってコネクタ１の前後方向にスライド移動可能なスライドダ１６と、このスライダ１６を第１カードＡの排出方向側に付勢する付勢ばね１７と、スライダ１６の上面に形成されたカム溝１６１と係合し、付勢ばね１７の付勢力に抗してスライダ１６を所定の位置に保持する係合ピン１８とが配設されている。
【００３０】
スライダ１６は、例えば、絶縁性の樹脂材料を成型して形成され、その後方側部分の上面にカム溝１６１が形成されると共に、コネクタ１に挿入される第１カードＡの側面に形成された凹部Ａ２（図１参照）と係合する突出部１６２ａを有する板ばね１６２が埋め込まれている。カム溝１６１は、図５に示すように、概してハート形状を有するハート型カム１６１ａと、このハート型カム１６１ａの左方側に配置される第１ガイド溝１６１ｂ、右方側に配置される第２ガイド溝１６１ｃ、並びに、第１及び第２ガイド溝１６１ｂ、１６１ｃに連結され、係合ピン１８の一端を係止する係止部を有する凹み溝１６１ｄで構成される。なお、カム溝１６１には、係合ピン１８を一定方向に案内すべく、その内底面に所定の段差部が形成されている。
【００３１】
係合ピン１８は、前方側の一端がこのように構成されたカム溝１６１に係合する一方、後方側の一端がハウジング２の後壁部１１に形成された保持穴１１３に回動自在に保持されている。係合ピン１８の前方側の一端は、コネクタ１に対する第１カードＡの挿入動作に伴って第１ガイド溝１６１ｂ、凹み溝１６１ｄ及び第２ガイド溝１６１ｃに沿って案内され、コネクタ１に装着された状態においては、凹み溝１６１ｄの係止部に係止されるものとなっている。なお、係合ピン１８には、上述した第１カバー部材３の付勢片３３による付勢力が加わっており、その付勢力によりカム溝１６１側に押し付けられた状態とされている。
【００３２】
ハウジング２の内部における左方側の側壁部１３の近傍には、第１カードＡの装着状態を検知する検知スイッチ１９が配設されている。検知スイッチ１９は、第１カードＡと接触して回動するレバー１９１と、このレバー１９１に保持される可動接点ばね１９２と、側壁部１３の前方側端部近傍に設けられ、可動接点ばね１９２が離接する固定接点１９３ａ、１９３ｂとから構成される。レバー１９１は、その後方側端部においてハウジング２に回動可能に保持されており、その一部を第１カードＡの挿入経路上に突出させている。
【００３３】
コネクタ１に挿入された第１カードＡが接触すると、レバー１９１は、後方側端部を回動支点として左方側に回動し、可動接点ばね１９２の前方側に延出する腕部を固定接点１９３ａに接触させる。一方、第１カードＡが引き抜かれると、レバー１９１は、後方側端部を回動支点として右方側に回動し、可動接点ばね１９２の前方側に延出する腕部を固定接点１９３ａから離間させる。検知スイッチ１９においては、このような可動接点ばね１９２と固定接点１９３ａとの接離状態に応じて第１カードＡの装着状態を検知するものとなっている。
【００３４】
ここで、ハウジング２に設けられる第１コンタクト端子１４及び第２コンタクト端子１５の構成、並びに、第１コンタクト端子１４と第２コンタクト端子１５との位置関係について説明する。図６及び図７は、本実施の形態に係るコネクタ１のハウジング２に設けられる第１コンタクト端子１４及び第２コンタクト端子１５の構成を示す斜視図及び上面図である。図８及び図９は、本実施の形態に係るコネクタ１のハウジング２に設けられる第１コンタクト端子１４及び第２コンタクト端子１５の構成を示す側面図である。なお、図８においては、図７に示す右方側からの側面図を示し、図９においては、図７に示す下方側からの側面図を示している。また、図６〜図９においては、第２コンタクト端子１５と同様にハウジング２にインサート成形される固定接点１９３ａ、１９３ｂについても示している。
【００３５】
図６及び図７に示すように、第１コンタクト端子１４は、コネクタ１の後方側であって僅かに上方側に延出して設けられている。そして、その先端部近傍には、第１カードＡの接触パッドＡ１に接触する接点部１４２が設けられている。接点部１４２は、第１コンタクト端子１４を上方側に湾曲させることで構成され、図８に示すように、その下面には凹部１４３が設けられている。また、第１コンタクト端子１４の先端部には、幅広部１４４が設けられている。
【００３６】
一方、第２コンタクト端子１５は、図６及び図７に示すように、コネクタ１の右方側であって僅かに下方側に延出して設けられている。そして、その先端部近傍には、第２カードＢの接触パッドＢ１に接触する接点部１５２が設けられている。接点部１５２は、第２コンタクト端子１５を下方側に湾曲させることで構成され、図９に示すように、その上面には凹部１５３が設けられている。
【００３７】
本実施の形態に係るコネクタ１においては、図６及び図７に示すように、最も前方側に配置される第２コンタクト端子１５と第１コンタクト端子１４とがその先端部近傍において上下に重なるように配置している。この場合において、本実施の形態に係るコネクタ１においては、第１コンタクト端子１４の凹部１４３の範囲内の位置に第２コンタクト端子１５を配置し、第１カードＡ及び第２カードＢが同時に装着された時にこれらが接触しないようにしている。
【００３８】
図１０及び図１１は、第１カードＡ及び第２カードＢが装着された場合の第１コンタクト端子１４及び第２コンタクト端子１５の構成を示す斜視図及び上面図である。図１２及び図１３は、第１カードＡ及び第２カードＢが装着された場合の第１コンタクト端子１４及び第２コンタクト端子１５の構成を示す側面図である。図１０及び図１１は、それぞれ図６及び図７に対応し、図１２及び図１３は、図８及び図９に対応するものである。
【００３９】
コネクタ１に第１カードＡが装着されると、第１カードＡの接触パッドＡ１との接触により接点部１４２が押し下げられ、第１コンタクト端子１４は、図１０及び図１１に示すように、その先端部が下方側に移動することとなる。一方、コネクタ１に第２カードＢが装着されると、第２カードＢの接触パッドＢ１との接触により接点部１５２が押し上げられ、第２コンタクト端子１５は、図１０及び図１１に示すように、その先端部が上方側に移動することとなる。
【００４０】
この場合において、第２コンタクト端子１５の先端部は、図１２及び図１３に示すように、第１コンタクト１４の凹部１４３の範囲内に配置されている。このため、第１コンタクト端子１４が下方側に移動すると共に、第２コンタクト端子１５が上方側に移動して両者が互いに接近した場合においても、凹部１４３を挟んでこれらを対峙させることができるので、第１コンタクト端子１４と第２コンタクト端子１５とが接触することはない。
【００４１】
以上説明したように、本実施の形態に係るコネクタ１においては、第１カードＡ及び第２カードＢが同時に装着される場合に第１コンタクト端子１４の接点部１４２に設けられた凹部１４３の範囲内で第２コンタクト端子１５を第１コンタクト端子１４と接触しない位置に配置している。これにより、第１コンタクト端子１４と第２コンタクト端子１５とが互いに接近した場合においても、凹部１４３を挟んでこれらを対峙させることができるので、第１コンタクト端子１４と第２コンタクト端子１５との接触を防止することができる。この結果、本コネクタ１を小型化して第１コンタクト端子１４と第２コンタクト端子１５とが重なる位置に配置される場合においても、コンタクト端子同士の接触を防止して薄型化を図ることが可能となる。
【００４２】
特に、本実施の形態に係るコネクタ１においては、第１コンタクト端子１４と第２コンタクト端子１５とを、仕切り壁９に設けた開口部９１、９２において直接的に対向させている。これにより、仕切り壁９を挟んで対向させる場合よりも第１コンタクト端子１４と第２コンタクト端子１５とを接近して配置することができるので、より本コネクタ１を薄型化することが可能となる。
【００４３】
本実施の形態に係るコネクタ１においては、このように最も前方側に配置される第２コンタクト端子１５の位置を、第１コンタクト端子１４の凹部１４３に対応する位置に調整するが、この際、第２コンタクト端子１５と第２カードＢの接触パッドＢ１との接触を確保する必要がある。このため、本実施の形態に係るコネクタ１においては、第２カードＢにおける該当する接触パッドＢ１（コネクタ１に対する装着時に最も前方側に配置される接触パッドＢ１）の範囲内で２コンタクト端子１５の位置を調整している。
【００４４】
図１４は、本実施の形態に係るコネクタ１のハウジング２に設けられる第２コンタクト端子１５と、第２カードＢの接触パッドＢ１との関係について説明する上面図である。図１４に示すように、本実施の形態に係るコネクタ１においては、最も前方側に配置される第２コンタクト端子１５の位置を、第２カードＢの該当する接触パッドＢ１の中央よりも僅かに後方側の位置に接触するように調整している。これにより、第２コンタクト端子１５における第２カードＢの接触パッドＢ１との接触を確保しつつ、第１コンタクト端子１４との接触を防止することが可能となる。
【００４５】
また、本実施の形態に係るコネクタ１においては、最も前方側に配置される第２コンタクト端子１５のみでなく、前方側から２番目の第２コンタクト端子１５の位置も、該当する第２カードＢの接触パッドＢ１の中央よりも僅かに後方側の位置に接触するように調整している。これは、第１コンタクト端子１４の先端部とこの第２コンタクト端子１５との接触を確実に防止するためである。なお、後方側に配置される２つの第２コンタクト端子１５については、第１コンタクト端子１４と接触する恐れがないため、既知のコンタクト端子と同様に、該当する第２カードＢの接触パッドＢ１の中央に接触するようにしている。
【００４６】
ところで、本実施の形態に係るコネクタ１においては、予め定められた第１カードＡが装着された場合に第１コンタクト端子１４と第２コンタクト端子１５との接触を防止するものである。しかしながら、この第１カードＡと異なるカードが誤って挿入されるような場合にも、第１コンタクト端子１４と第２コンタクト端子１５との接触を防止する必要がある。このため、本実施の形態に係るコネクタ１においては、異なるカードが挿入された場合に第１コンタクト端子１４が仕切り壁９を越えて第２装着部８側に突出しないように規制する。
【００４７】
また、本実施の形態に係るコネクタ１においては、第１コンタクト端子１４をコネクタ１の前方側端部近傍で固定し、その後方側の先端部を自由端としている。このため、後方側の先端部の移動を制限しない場合には、第１カードＡの挿入経路上に第１コンタクト端子１４が突出し、第１カードＡの挿入に伴って先端部が座屈する恐れがある。このため、本実施の形態に係るコネクタ１においては、第１コンタクト端子１４が第１カードＡの挿入経路上に一定位置を越えて突出しないように規制する。なお、第１カードＡの挿入経路上の一定位置は、例えば、第１コンタクト端子１４の先端部が第１装着部７に対するカードの挿入に伴って座屈するのを回避できる位置が考えられる。
【００４８】
以下、第１コンタクト端子１４の第２装着部８側への突出、並びに、第１コンタクト端子１４の第１カードＡの挿入経路上への一定位置以上の突出を規制する構成について図１５〜図１７を用いて説明する。図１５は、本実施の形態に係るコネクタ１のハウジング２を前方側（第１コンタクト端子１４側）から示した斜視図である。図１６及び図１７は、図１５に示す第１コンタクト端子１４の先端部近傍の拡大図である。なお、図１６においては、第１コンタクト端子１４を省略している。
【００４９】
図１５に示すように、仕切り壁９には、第１コンタクト端子１４の先端部近傍に、第１コンタクト端子１４の先端部が第１カードＡの挿入経路上に突出するのを規制する第１規制部９３と、第１コンタクト端子１４の先端部が第２装着部８側へ突出するのを規制する第２規制部９４とが設けられている。第１規制部９３は、第１コンタクト端子１４の一定位置以上の上方側への移動を規制するものであり、第２規制部９４は、第１コンタクト端子１４の一定位置以上の下方側への移動を規制するものである。
【００５０】
図１６に示すように、第１規制部９３は、仕切り壁９の上面部近傍において一体的に設けられ、前方側に突出する突出片として構成されている。図１７に示すように、第１規制部９３は、第１カードＡが装着されていない状態において、第１コンタクト端子１４の先端部に設けられた幅広部１４４の上面に当接し、第１コンタクト端子１４の第１カードＡの挿入経路上への一定位置以上の突出を規制するものである。
【００５１】
仕切り壁９には、図１６に示すように、第１規制部９３と対向する位置に開口部９５が形成されている。第１装着部７と第２装着部８とは、この開口部９５を介して連通されている。第２規制部９４は、この開口部９５の側方側の仕切り壁９で構成される。第１コンタクト端子１４の先端部に設けられた幅広部１４４は、図１７に示すように、開口部９５よりも広く設定されている。第２規制部９４は、予定されている第１カードＡと異なるカードが挿入された場合においても、幅広部１４４の下面（より具体的には、側方側の下面の一部）と当接し、第１コンタクト端子１４の第２装着部８側への突出を規制するものである。なお、開口部９５は、第１規制部９３としての突出片をハウジング２の成形時に用いられるものである。このように第１規制部９３に対向する位置に開口部９５を設けることにより、仕切り壁９の製造時に第１規制部９３を容易に形成できるようにしている。
【００５２】
このように本実施の形態に係るコネクタ１においては、第１コンタクト端子１４を、第１規制部９３と、第２規制部９４とに挟まれる位置に配置したことから、予め定められた第１カードＡと異なるカードが第１装着部７に挿入され、第１コンタクト端子１４が、第１カードＡが挿入される場合よりも大きく下方側に移動する場合においても、第２装着部８に突出するのを規制することができるので、第１コンタクト端子１４と第２コンタクト端子１５との接触を防止することが可能となる。
【００５３】
特に、この場合において、開口部９５の両側に配置される仕切り壁９で第２規制部９４を構成し、この開口部９５よりも広い幅を有する第１コンタクト端子１４の広幅部１４４を当接させている。これにより、確実に第１コンタクト端子１４の第２装着部８側への突出を確実に防止することが可能となる。
【００５４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５５】
例えば、上記実施の形態においては、第１装着部７に第１カードＡと異なるカードが挿入された場合に第１コンタクト端子１４が第２装着部８に突出するのを規制する構成を備える場合について説明しているが、この構成に加えて第２コンタクト端子１５が第１装着部７の突出するのを規制する構成を備えるようにしても良い。この場合には、第２カードＢと異なるカードが第２装着部８に挿入された場合においても、第２コンタクト端子１５の第１装着部７側への突出を規制することができるので、第１コンタクト端子１４と第２コンタクト端子１５とを接触を防止することが可能となる。
【図面の簡単な説明】
【００５６】
【図１】本実施の形態に係るコネクタと、コネクタに装着される第１及び第２カードとを示す斜視図である。
【図２】上記実施の形態に係るコネクタと、コネクタに装着される第１及び第２カードとを示す斜視図である。
【図３】上記実施の形態に係るコネクタの分解斜視図である。
【図４】上記実施の形態に係るコネクタのハウジングの斜視図である。
【図５】上記実施の形態に係るコネクタのハウジングの上面図である。
【図６】上記実施の形態に係るコネクタのハウジングに設けられる第１コンタクト端子及び第２コンタクト端子の構成を示す斜視図である。
【図７】上記実施の形態に係るコネクタのハウジングに設けられる第１コンタクト端子及び第２コンタクト端子の構成を示す上面図である。
【図８】上記実施の形態に係るコネクタのハウジングに設けられる第１コンタクト端子及び第２コンタクト端子の構成を示す側面図である。
【図９】上記実施の形態に係るコネクタのハウジングに設けられる第１コンタクト端子及び第２コンタクト端子の構成を示す側面図である。
【図１０】上記実施の形態に係るコネクタのハウジングに設けられる第１コンタクト端子及び第２コンタクト端子の構成を示す斜視図である。
【図１１】上記実施の形態に係るコネクタのハウジングに設けられる第１コンタクト端子及び第２コンタクト端子の構成を示す上面図である。
【図１２】上記実施の形態に係るコネクタのハウジングに設けられる第１コンタクト端子及び第２コンタクト端子の構成を示す側面図である。
【図１３】上記実施の形態に係るコネクタのハウジングに設けられる第１コンタクト端子及び第２コンタクト端子の構成を示す側面図である。
【図１４】上記実施の形態に係るコネクタのハウジングに設けられる第２コンタクト端子と、第２カードの接触パッドとの関係について説明する上面図である。
【図１５】上記実施の形態に係るコネクタのハウジングを前方側から示した斜視図である。
【図１６】図１５に示す第１コンタクト端子の先端部近傍の拡大図である。
【図１７】図１５に示す第１コンタクト端子の先端部近傍の拡大図である。
【符号の説明】
【００５７】
Ａ  第１カード
Ａ１  接触パッド
Ｂ  第２カード
Ｂ１  接触パッド
１  カード用コネクタ（コネクタ）
２  ハウジング
３  第１カバー部材
３１  係合部
３２  係合部
３３  付勢片
３４  付勢片
３６  接続部材
４  第２カバー部材
４３  接続部材
５  第１カード挿入口
６  第２カード挿入口
７  第１装着部
８  第２装着部
９  仕切り壁
９１、９２  開口部
９３  第１規制部
９４  第２規制部
９５  開口部
１０  前壁部
１１  後壁部
１２、１３  側壁部
１４  第１コンタクト端子
１４１  外部接続部
１４２  接点部
１４３  凹部
１５  第２コンタクト端子
１５１  外部接続部
１５２  接点部
１５３  凹部
１６  スライダ
１６１  カム溝
１６１ａ  ハート形カム
１６１ｂ  第１ガイド溝
１６１ｃ  第２ガイド溝
１６１ｄ  凹み溝
１７  付勢ばね
１８  係合ピン
１９  検知スイッチ
１９１  レバー
１９２  可動接点
１９３ａ、１９３ｂ  固定接点
【図１】
0004536126.tif 000002
【図２】
0004536126.tif 000003
【図３】
0004536126.tif 000004
【図４】
0004536126.tif 000005
【図５】
0004536126.tif 000006
【図６】
0004536126.tif 000007
【図７】
0004536126.tif 000008
【図８】
0004536126.tif 000009
【図９】
0004536126.tif 000010
【図１０】
0004536126.tif 000011
【図１１】
0004536126.tif 000012
【図１２】
0004536126.tif 000013
【図１３】
0004536126.tif 000014
【図１４】
0004536126.tif 000015
【図１５】
0004536126.tif 000016
【図１６】
0004536126.tif 000017
【図１７】
0004536126.tif 000018